(57)【要約】【課題】施工が簡単であり、意匠性に優れ、かつ塀の上に降った雨水が塀の外壁面を流れることで発生する外壁汚染を防止することができ、また、冬場において雨水がしみ込み凍結を繰り返すことによるコンクリートの変質・変色もないようにした塀用屋根材を提供する。【解決手段】塀の上面に取りつけられ、雨水が塀の外壁面を流れるのを防止するための塀用屋根材であって、前記塀の上面よりも上端部が上方に位置し、かつ前記上端部が外壁面の延長線上又は外壁面よりも外方に位置するように、塀の外壁面上端部近傍に取りつけられる堤部材と、頂部が前記塀の外壁面側に、麓部が前記塀の内壁面側に位置するように前記塀の外壁面側から内壁面側に向かって傾斜して前記塀の上面に取りつけられる平板状スロープ部材と、を有し、前記平板状スロープ部材の頂部が前記堤部材の上端部を超えないようにされ、前記平板状スロープ部材の麓部が内壁面よりも外方に位置しかつ前記塀の上面よりも下方に位置するようにした。【選択図】図１
0003150325.tif 000002
【実用新案登録請求の範囲】
【請求項１】
塀の上面に取りつけられ、雨水が塀の外壁面を流れるのを防止するための塀用屋根材であって、
前記塀の上面よりも上端部が上方に位置し、かつ前記上端部が外壁面の延長線上又は外壁面よりも外方に位置するように、塀の外壁面上端部近傍に取りつけられる堤部材と、
頂部が前記塀の外壁面側に、麓部が前記塀の内壁面側に位置するように前記塀の外壁面側から内壁面側に向かって傾斜して前記塀の上面に取りつけられる平板状スロープ部材と、
を有し、
前記平板状スロープ部材の頂部が前記堤部材の上端部を超えないようにされ、前記平板状スロープ部材の麓部が内壁面よりも外方に位置しかつ前記塀の上面よりも下方に位置するように構成されてなることを特徴とする塀用屋根材。
【請求項２】
前記内壁面よりも外方に位置する平板状スロープ部材の麓部の勾配が、前記平板状スロープ部材の中腹部の勾配よりも急であることを特徴とする請求項１記載の塀用屋根材。
【考案の詳細な説明】
【技術分野】
【０００１】
本考案は、雨水が塀の外壁面を流れることで発生する外壁汚染を防止するための塀用屋根材に関し、特に家屋の周囲に設けられたコンクリート製ブロック塀において好適に用いられる塀用屋根材に関する。
【背景技術】
【０００２】
従来、家屋などの建築物の周囲には、主に敷地の境目に塀が巡らされることがよくある。このような塀では、雨が降ると、塀の上面に降った雨水が塀の外壁面を流れて塀の外壁が汚れてしまうという問題があった。
【０００３】
また、塀の上面に、意匠性を高めるために屋根材を取りつけることもある。このような塀の屋根材としては、例えば、特許文献１又は特許文献２に記載された技術がある。
【０００４】
しかしながら、このような塀の屋根材を取りつけたとしても、やはり雨が降ると、塀の屋根材の上に降った雨水が塀の外壁面を流れて塀の外壁が汚れてしまうという問題があった。特に冬場において雨水がしみ込み凍結を繰り返すとコンクリートが風化されやすくなり変色・変質してしまうという問題もあった。また、費用面においても極めて高価であるという問題もあった。
【先行技術文献】
【特許文献】
【０００５】
【特許文献１】特開平６−５７８８７号公報
【特許文献２】特開２００４−２４４９０４号公報
【特許文献３】実公昭６１−３３７８９号公報
【考案の概要】
【考案が解決しようとする課題】
【０００６】
本考案は、上記した問題点に鑑みなされたもので、施工が簡単であり、安価に設置でき、意匠性に優れ、かつ塀の上に降った雨水が塀の外壁面を流れることで発生する外壁汚染を防止することができ、また、冬場において雨水がしみ込み凍結を繰り返すことによるコンクリートの変質・変色もないようにした塀用屋根材を提供することを目的とする。
【課題を解決するための手段】
【０００７】
上記の目的を達成する為に、本考案の塀用屋根材は、塀の上面に取りつけられ、雨水が塀の外壁面を流れるのを防止するための塀用屋根材であって、前記塀の上面よりも上端部が上方に位置し、かつ前記上端部が外壁面の延長線上又は外壁面よりも外方に位置するように、塀の外壁面上端部近傍に取りつけられる堤部材と、頂部が前記塀の外壁面側に麓部が前記塀の内壁面側となるように前記塀の外壁面側から内壁面側に向かって傾斜して前記塀の上面に取りつけられる平板状スロープ部材と、を有し、前記平板状スロープ部材の頂部が前記堤部材の上端部を超えないようにされ、前記平板状スロープ部材の麓部が内壁面よりも外方に位置しかつ前記塀の上面よりも下方に位置するように構成されてなることを特徴とする。
【０００８】
このように構成することで、塀の上に降った雨水は、堤部材によって塀の外壁面を流れることがなく、かつ平板状スロープ部材によって内壁面側へと誘導されて流れ落ちるため、外壁汚染を効果的に防止することができる。また、塀の上面に取りつけるだけなので、施工が簡単という利点もある。
【０００９】
さらに、本考案の塀用屋根材を塀の上面に取りつけることで塀の美観が向上するという利点もある。また、塀の色と同色に塗装を施すなどすれば、さらに美観は向上する。
【００１０】
前記平板状スロープ部材の頂部が前記堤部材の上端部を超えないようにするには、前記堤部材の上端部が２ｃｍ〜４ｃｍ程度前記平板状スロープ部材の頂部よりも高くなるようにすればよい。
【００１１】
前記平板状スロープ部材の麓部が内壁面よりも外方に位置する程度としては、前記平板状スロープ部材の麓部が内壁面よりも２ｃｍ〜４ｃｍ程度外方に位置するようにすればよい。
【００１２】
前記平板状スロープ部材の麓部が前記塀の上面よりも下方に位置する程度としては、前記平板状スロープ部材の麓部が前記塀の上面よりも２ｃｍ〜４ｃｍ程度下方に位置するようにすればよい。
【００１３】
このように、平板状スロープ部材の麓部を塀の上面から突出させることで、平板状スロープ部材上を流れた雨水が塀の内壁面を流れるのを防止することができるという利点がある。
【００１４】
本考案の塀用屋根材は、コンクリート製のブロック塀に特に好適に用いられるが、その他木製、金属製、合成樹脂製の塀などにも適用可能である。
【００１５】
前記堤部材としては、例えば、特許文献３に記載されたような断面Ｌ字状の基礎天端ならし具を用いることができる。
【００１６】
前記平板状スロープ部材としては、防腐塗装を施した鉄板などが好適に用いられるが、平板状であればよいもので、材質に特別の限定はなく、例えば、合成樹脂などで構成してもよいことは勿論である。
【００１７】
また、前記堤部材と前記平板状スロープ部材を一体的に形成してもよい。
【００１８】
平板状スロープ部材は少し勾配がついていれば充分であり、平板状スロープ部材の傾斜角度としては、水平面に対して極めて０°に近くてもよいが、好ましくは１°〜１５°程度であるとよい。
【００１９】
また、前記内壁面上端部よりも外方に位置する平板状スロープ部材の麓部の勾配が、前記平板状スロープ部材の中腹部の勾配よりも急となるように構成するのがさらに好適である。このように構成すると、麓部での水はけが良くなるからである。
【００２０】
この場合、平板状スロープ部材の中腹部の傾斜角度が、水平面に対して１°〜１５°であるならば、平板状スロープ部材の麓部の傾斜角度を水平面に対して１°〜１５°を超える傾斜角度とすればよく、例えば１０°〜４５°程度とすればよい。
【００２１】
本考案の塀用屋根材は、特に家屋の周囲に設けられた塀に好適に用いられるが、塀に取りつければよいものであるから、家屋以外の建築物の周囲に設けられた塀などにも適用してもよいことは勿論である。
【考案の効果】
【００２２】
本考案の塀用屋根材によれば、施工が簡単であり、安価に設置でき、意匠性に優れ、かつ塀の上に降った雨水が塀の外壁面を流れることで発生する外壁汚染を防止することができ、また、冬場において雨水がしみ込み凍結を繰り返すことによるコンクリートの変質・変色もないという著大な効果が達成される。
【図面の簡単な説明】
【００２３】
【図１】本考案に係る塀用屋根材の一つの実施の形態を塀に取り付けた状態を示す側面概略説明図である。
【図２】本考案に係る塀用屋根材の構造を説明するための側面概略説明図である。
【図３】本考案に係る塀用屋根材の一つの実施の形態を塀に取り付けた状態を示す概略斜視図である。
【図４】図３の別の角度からみた概略斜視図である。
【考案を実施するための形態】
【００２４】
以下に本考案の実施の形態を添付図面に基づいて説明するが、本考案の技術思想から逸脱しない限りこれらの実施の形態について種々の変更又は変形が可能なことは言うまでもない。
【００２５】
図１〜図４において、１０は本考案に係る塀用屋根材である。本考案の塀用屋根材１０は、図１〜図４に示される如く、塀１２の上面１４に取りつけられ、雨水が塀１２の外壁面１６を流れるのを防止するための塀用屋根材である。
【００２６】
塀用屋根材１０は、塀１２の上面１４よりも上端部１８が上方に位置し、かつ前記上端部１８が外壁面１６の延長線Ａ上又は外壁面１６よりも外方に位置するように、塀１２の外壁面上端部２０近傍に取りつけられる堤部材２２と、頂部２４が前記塀１２の外壁面１６側に、麓部２６が前記塀１２の内壁面２８側に位置するように前記塀１２の外壁面１６側から内壁面２８側に向かって傾斜して前記塀１２の上面１４に取りつけられる平板状スロープ部材３０と、を有し、前記平板状スロープ部材３０の頂部２４が前記堤部材２２の上端部１８を超えないようにされ、前記平板状スロープ部材３０の麓部２６が内壁面２８よりも外方に位置しかつ前記塀１２の上面１４よりも下方に位置するように構成されてなる。
【００２７】
図２において、線Ａは外壁面１６の延長線を示し、線Ｂは内壁面２８の延長線、線Ｃは上面１４の外壁面１６側への延長線、線Ｄは上面１４の内壁面２８側への延長線を示す。
【００２８】
図１の例では、内壁面２８よりも外方に位置する平板状スロープ部材３０の麓部２６の勾配が、前記平板状スロープ部材３０の中腹部３２の勾配よりも急となるように曲折されている。
【００２９】
図１では、平板状スロープ部材３０の中腹部の傾斜角度α（図２参照）が、水平面に対して３°とし、平板状スロープ部材の麓部の傾斜角度β（図２参照）を水平面に対して３０°とした例を示した。
【００３０】
また、図１の例では、堤部材２２の上端部１８が外壁面１６の延長線Ａ上に位置するように、塀１２の外壁面上端部２０近傍に取りつけた例を示したが、図２に点線で示したように、塀１２の上面１４よりも上端部１８が上方に位置し、かつ堤部材２２の上端部１８を外壁面１６よりも外方に位置するように構成することも可能である。
【００３１】
但し、この場合であっても、雨水が上端部１８を超えないように、前記平板状スロープ部材３０の頂部２４が前記堤部材２２の上端部１８を超えないように構成しなければならない。
【００３２】
このように構成すれば、図３及び図４に示すように、塀１２の上に降った雨水は、堤部材２２によって塀１２の外壁面１６を流れることがなく、かつ平板状スロープ部材３０によって内壁面２８側へと誘導されて流れ落ちるため、外壁汚染や冬場の凍結を繰り返すことによる変色・変質を効果的に防止することができる。また、塀１２の上面１４に取りつけるだけなので、施工が簡単である。
【００３３】
図示の例では、堤部材２２として、高さ２ｃｍ×幅４ｃｍ×長さ２ｍの断面Ｌ字状の基礎天端ならし具を用いて塀１２の上面１４に釘３４を用いて釘止めした。また、平板状スロープ部材３０としては、鉄板を用いて塀１２の上面１４に釘３４を用いて釘止めした。さらに釘の上から雨水の浸透防止のため接着剤を使用した。釘止めの代わりにビスや接着剤等で固定しても良い。
【００３４】
さらに、図３及び図４によく示すように、塀用屋根材１０を取りつけることで、意匠性が向上し、美麗な塀となる。また、塀の色と同色に塗装を施すなどすれば、さらに美観は向上する。
【符号の説明】
【００３５】
１０：塀用屋根材、１２：塀、１４：上面、１６：外壁面、１８：上端部、２０：外壁面上端部、２２：堤部材、２４：頂部、２６：麓部、２８：内壁面、３０：平板状スロープ部材、３２：中腹部、３４：釘、Ａ：外壁面の延長線、Ｂ：内壁面の延長線、Ｃ：上面の外壁面側への延長線、Ｄ：上面の内壁面側への延長線、α：中腹部の傾斜角度、β：麓部の傾斜角度。
【図１】
0003150325.tif 000003
【図２】
0003150325.tif 000004
【図３】
0003150325.tif 000005
【図４】
0003150325.tif 000006